(57)【要約】      （修正有）【課題】被メッキ体のメッキ厚さの偏差をより最小化できるメッキ装置を提供する。【解決手段】被メッキ体を収容するメッキ槽１００と、複数の横と縦でメッキ槽に分割して設けられ、それぞれ独立に電流が供給される複数の陽極部２００と、を含み、それぞれの陽極部は、全部または一部が円形状に形成されることを特徴とする。【選択図】図１
2015098640.tif 000002
【特許請求の範囲】
【請求項１】
被メッキ体を収容するメッキ槽と、
前記メッキ槽に横と縦とで複数分割して設けられ、それぞれ独立に電流が供給される複数の陽極部と、を含み、
前記陽極部のそれぞれは、全部または一部が円形状に形成されることを特徴とするメッキ装置。
【請求項２】
複数の前記陽極部のうち、外郭部に配置される前記陽極部は、中心角が１８０°の扇状に形成され、
複数の前記陽極部のうち、コーナー部に配置される前記陽極部は、中心角が９０°の扇状に形成されることを特徴とする請求項１に記載のメッキ装置。
【請求項３】
前記陽極部のそれぞれは、供給される電流量が調整可能であることを特徴とする請求項１または請求項２に記載のメッキ装置。
【請求項４】
前記陽極部のそれぞれは、前記被メッキ体との距離及び前記被メッキ体に対する角度のうち、少なくとも１つを互いに独立して調整可能であることを特徴とする請求項１から３のいずれか１項に記載のメッキ装置。
【請求項５】
前記陽極部は、前記被メッキ体を基準として両側に対称に配置されることを特徴とする請求項１から４のいずれか１項に記載のメッキ装置。
【発明の詳細な説明】
【技術分野】
【０００１】
本発明は、メッキ装置に関する。
【背景技術】
【０００２】
近年、印刷回路基板は、携帯電話、半導体、情報通信などの核心部品として使用されることになり、これに関連する技術がますます重要となっている。特に、半導体ＩＣ移動通信部品の小型化、高速化、高密度化、高性能化、電磁波遮蔽などに対する信頼性向上とともに印刷回路基板における均一なメッキの必要性が強調されている。
【０００３】
このような印刷回路基板の均一なメッキは、微細回路のメッキ膜を薄くし、かつ均一化することにより高性能化することができるとともに、配線のプロファイルを低減させて電子機器の雑音も低減することができる。また、メッキ厚さの均一化は、過剰なメッキを防止するので、製造コストの低減効果をもたらすことができる。
【０００４】
しかし、回路の複雑な形態、電解槽及び電極の形態などの幾何学的要素や、溶液及び添加物の特性、電気化学反応の速度に関連する分極と電圧、反応イオンの濃度分布など、メッキ時に複合的に作用する各種因子のために、均一な電流分布を得にくく、これにより、メッキ厚さの偏差を効果的に改善することが困難であった。
【先行技術文献】
【特許文献】
【０００５】
【特許文献１】韓国公開特許第１０−１９９８−０８１７４０号公報（１９９８．１１．２５．公開）
【発明の概要】
【発明が解決しようとする課題】
【０００６】
本発明の目的は、被メッキ体のメッキ厚さの偏差をより最小化できるメッキ装置を提供することにある。
【課題を解決するための手段】
【０００７】
本発明の一側面によれば、被メッキ体を収容するメッキ槽と、メッキ槽内に複数の横と縦に分割して設けられ、それぞれ独立に電流が供給される複数の陽極部とを含み、それぞれの陽極部は、全部または一部が円形状に形成されることを特徴とするメッキ装置が提供される。
【０００８】
ここで、複数の陽極部のうち、外郭部に配置される陽極部は、中心角が１８０°の扇状に形成可能であり、複数の陽極部のうち、コーナー部に配置される陽極部は、中心角が９０°の扇状に形成可能である。
【０００９】
それぞれの陽極部は、供給される電流量を調整することが可能である。
【００１０】
それぞれの陽極部は、被メッキ体との距離及び被メッキ体に対する角度のうち、少なくとも１つを互いに独立して調整可能である。
【００１１】
そして、陽極部は、被メッキ体を基準として両側に対称に配置されることができる。
【発明の効果】
【００１２】
本発明の実施例によれば、被メッキ体のメッキ厚さの偏差をより最小化できるメッキ装置を提供することができる。
【図面の簡単な説明】
【００１３】
【図１】本発明の一実施例に係るメッキ装置を示す図面である。
【図２】図１のメッキ装置による被メッキ体のメッキ厚さの実験結果を示す図面である。
【図３】本発明の他の実施例に係るメッキ装置を示す図面である。
【図４】図３のメッキ装置による被メッキ体のメッキ厚さの実験結果を示す図面である。
【発明を実施するための形態】
【００１４】
以下では、本発明に係るメッキ装置の実施例を添付図面に基づいて詳細に説明し、添付図面に基づいて説明するに当たって、同一または対応する構成要素には同一の図面符号を付し、これに対する重複説明は省略する。
【００１５】
また、以下に使用される「第１」、「第２」などのような用語は、同一または相応する構成要素を区別するための識別記号に過ぎず、同一または相応する構成要素がそれらの「第１」、「第２」などの用語により限定されるものではない。
【００１６】
また、「結合」とは、各構成要素間の接触関係において、各構成要素間の物理的に直接接触する場合のみを意味することではなく、他の構成が各構成要素の間に介在され、その他の構成に構成要素がそれぞれ接触されている場合まで含む概念として使用される。
【００１７】
図１は、本発明の一実施例に係るメッキ装置を示す図面である。図２は、図１のメッキ装置による被メッキ体のメッキ厚さの実験結果を示す図面である。
【００１８】
図１及び図２に示すように、本発明の一実施例に係るメッキ装置１０００は、メッキ槽１００と、陽極部２００とを含む。
【００１９】
メッキ槽１００は、被メッキ体１０を収容する容器であって、被メッキ体１０をメッキするためのメッキ液を収容することができる。ここで、被メッキ体１０は、電気分解の原理を用いてメッキが施される対象体であって、メッキ液の収容されたメッキ槽１００内に被メッキ体１０を陰極として設置し、後述する陽極部２００に電流を供給すると、陰極である被メッキ体１０の表面にメッキが施されることになる。
【００２０】
陽極部２００は、メッキ槽１００内に横と縦とで複数分割して設けられ、それぞれ独立に電流が供給されるものであって、複数個が形成される。すなわち、図１に示すように、それぞれの陽極部２００は、互いに分離されて、被メッキ体１０の一側に複数の横と縦に並んで配置されることができる。
【００２１】
被メッキ体１０のメッキ時、陽極部２００に供給された電流は、陰極である被メッキ体１０に直線的に伝達されるだけでなく、メッキ液に沿って迂回して被メッキ体１０に伝達されることもあるので、被メッキ体１０におけるメッキ厚さは、被メッキ体１０に対応する位置の陽極部２００に供給された電流量と正確に比例しないことがある。
【００２２】
特に、電極板の縁では、電気力線が電極板に垂直ではなく、外側に湾曲して延びるエッジ効果（ｅｄｇｅ  ｅｆｆｅｃｔ）などにより、相対的に迂回電流が多く到逹する被メッキ体１０の端部でのメッキ厚さが厚く形成されるなど、不均一なメッキが行われることがある。
【００２３】
したがって、本実施例に係るメッキ装置１０００は、陽極部２００を互いに分離し、独立に電流が供給されるように複数配置し、それぞれの陽極部２００は、全部または一部が円形状に形成されるように構成することができる。
【００２４】
すなわち、全体的な陽極部２００の電場を分散させるとともに、それぞれの陽極部２００の端部を曲線処理して、分散されたそれぞれの電場において上述したエッジ効果が相対的に被メッキ体１０の全体面積にかけて発生されるようにすることができるので、被メッキ体１０の端部への電流集中を防止することができる。
【００２５】
これにより、本実施例に係るメッキ装置１０００は、被メッキ体１０のメッキ厚さの偏差、特に被メッキ体１０の端部と中央部との間のメッキ厚さの偏差をより最小化することができる。
【００２６】
具体的に、図２を参照して被メッキ体１０のメッキ厚さの偏差を説明する。
【００２７】
図２は、分割されたそれぞれの陽極部２００を四角形に形成した場合（比較例１）と図１のメッキ装置のように陽極部２００を形成した場合（実施例１）の被メッキ体１０の  メッキ厚さを比較した実験結果を示している。
【００２８】
図２に示すように、図１のメッキ装置のように陽極部２００を形成した場合（実施例１）に、被メッキ体１０の端部と中央部との間のメッキ厚さの偏差がより小さいことが分かる。
【００２９】
このように、図１のメッキ装置のように陽極部２００を形成した場合（実施例１）は、被メッキ体１０の端部への電流集中が相対的に低減するので、被メッキ体１０におけるメッキ厚さの偏差をより最小化することができる。
【００３０】
本実施例に係るメッキ装置１０００において、それぞれの陽極部２００は、供給される電流量を調整可能である。例えば、被メッキ体１０の形状や被メッキ体１０に要求されるメッキ厚さが変更された場合、それぞれの陽極部２００は、供給される電流量を変更してメッキ厚さを調整することができる。
【００３１】
この場合、被メッキ体１０の形状や被メッキ体１０に要求されるメッキ厚さに応じて、それぞれの陽極部２００に供給される電流量も常に一定したものではないため、それぞれの陽極部２００に供給される電流量を互いに独立して調整できるように構成することができる。
【００３２】
このように、本実施例に係るメッキ装置１０００において、それぞれの陽極部２００は、供給される電流量を調整可能であり、被メッキ体１０の形状や被メッキ体１０に要求されるメッキ厚さが変更される場合にも、メッキ装置１０００の構造を変更することなく、より能動的に対処することができる。
【００３３】
また、本実施例に係るメッキ装置１０００において、それぞれの陽極部２００は、被メッキ体１０との距離及び被メッキ体１０に対する角度のうち、少なくとも１つを互いに独立して調整可能である。
【００３４】
例えば、被メッキ体１０の端部のメッキ厚さが相対的に厚く形成されるということを考慮して、被メッキ体１０の端部に対応する位置に設けられた陽極部２００を被メッキ体１０からより遠く離隔したり、被メッキ体１０と接する角度を小さくしたりするなどの方法により、被メッキ体１０の端部に対するメッキ厚さを調整することができる。
【００３５】
これにより、本実施例に係るメッキ装置１０００は、それぞれの陽極部２００に供給される電流量だけでなく、それぞれの陽極部２００と被メッキ体１０との間の距離、それぞれの陽極部２００と被メッキ体１０との間の角度を適宜組み合わせることにより、様々なメッキ条件の変化に対応することができる。
【００３６】
本実施例に係るメッキ装置１０００において、陽極部２００は、被メッキ体１０を基準として両側に対称に配置されることができる。すなわち、図１に示すように、被メッキ体１０の両側に一対の陽極部２００を設置することができる。
【００３７】
これにより、被メッキ体１０をメッキするとき、被メッキ体１０の両側に対するメッキを同時に行うことができる。また、一対の陽極部２００を対称に設けて、被メッキ体１０の両面のメッキ厚さを均一に形成することができる。
【００３８】
図３は、本発明の他の実施例に係るメッキ装置を示す図面である。図４は、図３のメッキ装置による被メッキ体のメッキ厚さの実験結果を示す図面である。
【００３９】
図３及び図４に示すように、本発明の他の実施例に係るメッキ装置２０００において、複数の陽極部２００のうち、外郭部に配置される陽極部２００は、中心角が１８０°の扇状に形成され、複数の陽極部２０００のうち、コーナー部に配置される陽極部２００は、中心角が９０°の扇状に形成されることができる。
【００４０】
すなわち、それぞれの陽極部２００を同じく円形状に形成することではなく、被メッキ体１０の端部に対応する位置に配置された陽極部２００の形状及び被メッキ体１０のコーナー部に対応する位置に配置された陽極部２００の形状を、それぞれ異なるように形成してもよい。
【００４１】
これにより、本実施例に係るメッキ装置２０００は、被メッキ体１０の端部及びコーナー部におけるエッジ効果をより低減させることができるので、被メッキ体１０の端部と中央部との間のメッキ厚さの偏差をより効果的に低減することができる。
【００４２】
具体的に、図４を参照して被メッキ体１０のメッキ厚さの偏差を説明する。
【００４３】
図４は、分割されたそれぞれの陽極部２００を四角形に形成した場合（比較例２）と図  ３のメッキ装置のように陽極部２００を形成した場合（実施例２）の被メッキ体１０のメッキ厚さを比較した実験結果を示している。
【００４４】
図４に示すように、図３のメッキ装置のように陽極部２００を形成した場合（実施例２）に、被メッキ体１０の端部と中央部との間のメッキ厚さの偏差が著しく小くなることが分かる。
【００４５】
また、図３のメッキ装置のように陽極部２００を形成した場合（実施例２）は、比較例２に比べて被メッキ体１０の中央部のメッキ厚さがかえって増加するなど、被メッキ体１０の特定部位ごとにメッキ厚さを互いに異なるように制御することもできる。
【００４６】
このように、図３のメッキ装置のように陽極部２００を形成した場合（実施例２）には、被メッキ体１０の端部への電流集中がより著しく低減するため、被メッキ体１０のメッキ厚さの偏差をより効果的に低減することができる。
【００４７】
一方、本発明の他の実施例に係るメッキ装置２０００は、上述した構成以外には本発明の一実施例に係るメッキ装置１０００の構成と同一または類似であるので、重複する構成に対する詳細な説明は省略する。
【００４８】
以上では、本発明の実施例について説明したが、当該技術分野で通常の知識を有した者であれば特許請求範囲に記載した本発明の思想から逸脱しない範囲内で、構成要素の付加、変更、削除または追加することにより本発明を多様に修正及び変更することができ、これも本発明の権利範囲内に含まれるといえよう。
【符号の説明】
【００４９】
１０      被メッキ体
１００    メッキ槽
２００    陽極部
１０００、２０００    メッキ装置
【図１】
2015098640.tif 000003
【図２】
2015098640.tif 000004
【図３】
2015098640.tif 000005
【図４】
2015098640.tif 000006